(57)【要約】【課題】部品点数を増やすことなく、光軸方向および光軸方向に直交する隙間を除去することを目的とする。【解決手段】本発明は、レンズの光軸方向に沿って移動する第１群鏡筒２１と、第１群鏡筒２１によって、光軸方向に対して直交する第１の方向に進退可能に保持されるカムピン３３と、カムピン３３が係合するカム溝２６を有するカム筒部材２５と、第１群鏡筒２１とカムピン３３との間に配置されるコイルばね４０と、を有するレンズ鏡筒１であって、コイルばね４０は、カムピン３３を、前記第１の方向および前記第１の方向に対して直交する第２の方向に付勢することを特徴とする。【選択図】図３
2019128450.tif 000002
【特許請求の範囲】
【請求項１】
レンズの光軸方向に沿って移動する移動部材と、
前記移動部材によって光軸方向に対して直交する第１の方向に進退可能に保持されるカムピンと、
前記カムピンが係合するカム溝を有するカム筒部材と、
前記移動部材と前記カムピンとの間に配置される付勢部材と、を有するレンズ鏡筒であって、
前記付勢部材は、
前記カムピンを、前記第１の方向および前記光軸方向に沿った第２の方向に付勢することを特徴とするレンズ鏡筒。
【請求項２】
前記カムピンは、
前記付勢部材から前記第２の方向に付勢されることで前記移動部材に当接する当接部を有し、
前記移動部材は、
前記当接部が当接される位置決め部を有し、
前記位置決め部は、
前記第２の方向に対してそれぞれ傾斜する一対のテーパ面であることを特徴とする請求項１に記載のレンズ鏡筒。
【請求項３】
前記カムピンは、
前記第１の方向に対して前記付勢部材からの付勢を受ける第１ピン側受部と、
前記第２の方向に対して前記付勢部材からの付勢を受ける第２ピン側受部と、を有し、
前記移動部材は、
前記第１の方向に対して前記付勢部材からの付勢を受ける第１移動側受部と、
前記第２の方向に対して前記付勢部材からの付勢を受ける第２移動側受部と、を有し、
前記付勢部材の少なくとも一部は、
前記１ピン側受部と前記第１移動側受部との間、および、前記第２ピン側受部と前記第２移動側受部との間に配置されることを特徴とする請求項１または２に記載のレンズ鏡筒。
【請求項４】
前記付勢部材は、
圧縮ばねおよびトーションばねとして機能するコイルばねであることを特徴とする請求項１ないし３の何れか１項に記載のレンズ鏡筒。
【請求項５】
前記付勢部材は、一方側の腕部と他方側の腕部とを有するコイルばねであって、
軸線方向の一方端部が前記第１ピン側受部に当接し、軸線方向の他方端部が前記第１移動側受部に当接し、
前記一方側の腕部および前記他方側の腕部が前記第２移動側受部に当接し、
コイル部の内周面が前記第２ピン側受部に当接することを特徴とする請求項３に記載のレンズ鏡筒。
【請求項６】
前記付勢部材は、
前記第１の方向に付勢する第１付勢部と、前記第２の方向に付勢する第２付勢部とを有する板ばねであって、
前記第１付勢部は、前記第１ピン側受部、前記第１移動側受部および前記第２ピン側受部に当接し、
前記第２付勢部は、前記第２移動側受部に当接することを特徴とする請求項３に記載のレンズ鏡筒。
【請求項７】
前記付勢部材は、
前記第１の方向および前記第２の方向にそれぞれ直交する方向から見て、前記第１付勢部は略Ｃ字の形状であり、前記第１の方向から見て、前記第２付勢部が略Ｃ字の形状であることを特徴とする請求項６に記載のレンズ鏡筒。
【請求項８】
前記カムピンは、
前記第１の方向と前記第２の方向の間の斜め方向である第３の方向に対して前記付勢部材からの付勢を受けるピン側受部を有し、
前記移動部材は、
前記付勢部材からの付勢を受ける移動側受部を有し、
前記付勢部材は、
前記ピン側受部と前記移動側受部との間に配置されることを特徴とする請求項１または２に記載のレンズ鏡筒。
【請求項９】
前記付勢部材は、
前記第１の方向と前記第２の方向の間の斜め方向である第３の方向に付勢する板ばねであって、
前記カムピンを、前記３の方向に付勢することを特徴とする請求項１、２、８の何れか１項に記載のレンズ鏡筒。
【請求項１０】
前記付勢部材は、
前記第１の方向および前記第２の方向にそれぞれ直交する方向から見て、略Ｖ字の形状であることを特徴とする請求項９に記載のレンズ鏡筒。
【発明の詳細な説明】
【技術分野】
【０００１】
本発明は、カム機構によってレンズ群が光軸方向に移動するレンズ鏡筒に関する。
【背景技術】
【０００２】
カム筒部材の回転によってズーミングを行うレンズ鏡筒のうち、カム筒部材とレンズ群の係合部が、カム筒部材に設けられたカム溝と、レンズ群保持部材に保持されたカムフォロワとで構成されるレンズ鏡筒がある。カム筒部材と、カムフォロワと、レンズ群保持部材との間には設計上において隙間が設けられている。その隙間によってレンズ群が光軸方向もしくは光軸に直交する方向に意図せず、ガタつきが生じてしまうとレンズ鏡筒の光学性能に悪影響を与える。したがって、一般的に、少なくとも一つ以上あるカムフォロワのうちの一つは、ばね部材によってカム筒部材に付勢され、その反力によってカム筒部材と、カムフォロワと、レンズ群保持部材との間にある隙間を除去するように構成している。
【０００３】
特許文献１では、カムフォロワの一部が球体になっており、その球体とカムフォロワ本体部の間にコイルバネを配置し、その反力でカム筒と、カムフォロワと、レンズ保持枠との間の隙間を除去するレンズ鏡筒が開示されている。
特許文献２では、ズームレンズ鏡筒から離間した位置を揺動中心軸とするトーションばねによってズームレンズ鏡筒をリード溝に光軸方向に付勢する光学要素位置制御機構が開示されている。
【先行技術文献】
【特許文献】
【０００４】
【特許文献１】特開２０１１−２０５８８４号公報
【特許文献２】特開２００９−１１６２２２号公報
【発明の概要】
【発明が解決しようとする課題】
【０００５】
しかしながら、特許文献１のレンズ鏡筒では、カムフォロワの構成が複雑であり部品点数も多いため高コストになってしまう。また、カム筒が組まれるまでは球体が容易に脱落してしまう構造であるために、組立性も悪くなってしまう。
特許文献２の光学要素位置制御機構では、ズームレンズ鏡筒とリードカム軸に関して、光軸方向の隙間の除去は行われるが、光軸方向に直交する方向の隙間を除去することができない。なお、トーションばねの揺動中心軸をズームレンズ鏡筒から離間した位置に配置しているために、トーションばねの付勢腕部を長くする必要があり、装置全体として大きなスペースを要する。
【０００６】
本発明は、上述したような問題点に鑑みてなされたものであり、部品点数を増やすことなく、光軸方向および光軸方向に直交する隙間を除去することを目的とする。
【課題を解決するための手段】
【０００７】
本発明は、レンズの光軸方向に沿って移動する移動部材と、前記移動部材によって光軸方向に対して直交する第１の方向に進退可能に保持されるカムピンと、前記カムピンが係合するカム溝を有するカム筒部材と、前記移動部材と前記カムピンとの間に配置される付勢部材と、を有するレンズ鏡筒であって、前記付勢部材は、前記カムピンを、前記第１の方向および前記光軸方向に沿った第２の方向に付勢することを特徴とする。
【発明の効果】
【０００８】
本発明によれば、部品点数を増やすことなく、光軸方向および光軸方向に直交する隙間を除去することができる。
【図面の簡単な説明】
【０００９】
【図１】第１の実施形態のレンズ鏡筒の一例を示す断面図である。
【図２】他のレンズ鏡筒の一例を示す断面図である。
【図３】第１の実施形態の第１カムフォロワ部の一例を示す分解斜視図である。
【図４】第１カムフォロア部の周辺の構成の一例を示す断面図である。
【図５】図４に示すＩ−Ｉ線断面図である。
【図６】第１カムフォロア部の周辺の構成の一例を示す図である。
【図７】第２の実施形態の第１カムフォロワ部の一例を示す分解斜視図である。
【図８】第１カムフォロア部の周辺の構成の一例を示す断面図である。
【図９】図８に示すＩＩ−ＩＩ線断面図である。
【図１０】第１カムフォロア部の周辺の構成の一例を示す図である。
【図１１】第３の実施形態の第１カムフォロワ部の一例を示す分解斜視図である。
【図１２】第１カムフォロア部の周辺の構成の一例を示す断面図である。
【図１３】図１２に示すＩＩＩ−ＩＩＩ線断面図である。
【図１４】第１カムフォロア部の周辺の構成の一例を示す図である。
【発明を実施するための形態】
【００１０】
以下に、本発明の好ましい実施形態のレンズ鏡筒について図面を参照して説明する。
（第１の実施形態）
第１の実施形態に係るレンズ鏡筒について図１〜図６を参照して説明する。
図１は、第１の実施形態のレンズ鏡筒１の一例を示す断面図である。
レンズ鏡筒１は、第１群レンズ１１、第２群レンズ１２、第３群レンズ１３を有する。第１群レンズ１１および第２群レンズ１２は、光軸方向に移動してズーミングを行う。第３群レンズ１３は光軸方向に移動してフォーカシングを行う。第１群レンズ１１、第２群レンズ１２および第３群レンズ１３は光軸方向に沿って配置される。なお、説明の便宜上、必要に応じて光軸方向のうち第１群レンズ１１側を前といい、第３群レンズ１３側を後という。
【００１１】
第１群レンズ１１と第２群レンズ１２との間には、光量調節を行う絞りユニット１５が配置される。絞りユニット１５は固定筒部材１６によって保持される。また、第３群レンズ１３の後側には撮像素子１７が配置される。撮像素子１７は、レンズ鏡筒１を通過した被写体からの光を受光して電気信号に変換する。撮像素子１７は撮像素子保持部材１８によって保持される。
第１群レンズ１１は、移動部材としての第１群鏡筒２１によって保持される。また、第２群レンズ１２は、第２群鏡筒２２によって保持される。また、第３群レンズ１３は、第３群鏡筒２３によって保持される。
ここで、第１群鏡筒２１は、第１カムフォロア部３１を介して、カム筒部材２５によって保持される。第１カムフォロア部３１はカムピン３３を有し、カムピン３３はカム筒部材２５の内周面に螺旋状に形成されたカム溝２６に係合する。カム筒部材２５が回転することによって、カムピン３３がカム溝２６に沿ってスライドし、案内筒部材２８に設けられた案内溝にしたがって、第１群鏡筒２１および第１群レンズ１１は光軸方向に沿って移動する。なお、説明の便宜上、必要に応じてカム筒部材２５を基準として、光軸方向と直交する方向であるラジアル方向を第１の方向といい、光軸方向であるスラスト方向を第２の方向という。
【００１２】
図２は、図１のレンズ鏡筒１とは異なるレンズ鏡筒２の一例を示す図である。なお、図１と同様の構成は同一符号を付して適宜、その説明を省略する。
第２群レンズ１２は、移動部材として第２群鏡筒２２によって保持される。
ここで、第２群鏡筒２２は、第２カムフォロア部３２を介して、カム筒部材２５によって保持される。第２カムフォロア部３２はカムピン３３を有し、カムピン３３はカム筒部材２５の外周面に螺旋状に形成されたカム溝２７に係合する。カム筒部材２５が回転することによって、カムピン３３がカム溝２７に沿ってスライドし、ガイドバー部材に案内され、第２群鏡筒２２および第２群レンズ１２は第２の方向に沿って移動する。
【００１３】
次に、カムフォロア部の構成について図３〜図６を参照して説明する。ここでは、上述した第１カムフォロア部３１の構成を例にして説明するが、第２カムフォロア部３２についても同様に適用することができる。
図３は、第１の実施形態の第１カムフォロア部３１の分解斜視図である。
第１カムフォロア部３１は、カムピン３３と、付勢部材としてのコイルばね４０を有する。
【００１４】
カムピン３３は、先端が大径に形成されたピン状である。カムピン３３は、コイルばね４０によって第１の方向に付勢されることでカム筒部材２５のカム溝２６に係合する。
カムピン３３は、係合部３４と、大径部３５と、軸部３６と、抜止部３７とを有する。
係合部３４は、円錐台を呈し、カム溝２６に略合致した形状である。係合部３４は、カム溝２６に係合した状態でカム溝２６に沿ってスライドする。大径部３５は、係合部３４よりも直径が大きい円柱状の形状である。大径部３５は第１群鏡筒２１の後述する大径収容部５１に当接する当接部に相当する。また、大径部３５は、軸部３６側に軸部３６に直交する面３５ａを有する。面３５ａはコイルばね４０から第１の方向（ラジアル方向）に付勢を受ける第１ピン側受部に相当する。軸部３６は、大径部３５よりも直径が小さい軸状であって、第１群鏡筒２１の後述するばね収容部５２および軸挿入部５３に挿入される。また、軸部３６のうち軸方向に沿った外周面の後部３６ａは、コイルばね４０から第２の方向（スラスト方向）に付勢を受ける第２ピン側受部に相当する。抜止部３７は、軸部３６の端部に形成され、軸部３６よりも直径がやや大きい軸状であって、カムピン３３が第１群鏡筒２１から離脱しないように規制する。
【００１５】
コイルばね４０は、付勢部材の一例である。コイルばね４０は、カムピン３３を第１の方向（ラジアル方向）に加えて、第２の方向（スラスト方向）にも付勢する。本実施形態のコイルばね４０は、圧縮ばねに加えてトーションばねとしても機能する。
具体的には、コイルばね４０は、軸線方向の一方端部４２ａと他方端部４２ｂとを軸線方向に近づけるように圧縮することで戻ろうとする方向に付勢力が生じる圧縮ばねとして機能する。更に、コイルばね４０は、螺旋を形成する鋼線の先端と後端とをコイル部４１の外径よりも延出させることで腕部が形成される。すなわち、コイルばね４０は、一方側の腕部４３ａと、他方側の腕部４３ｂとを有する。ここで、後述する図５に示すように、一方側の腕部４３ａと他方側の腕部４３ｂとのコイル部４１の反対側（外側）においてなす角度αは、自由角度で上限が１８０度よりも小さく、下限が３０度以上、更には４０度以上である。なお、コイルばね４０は、一方側の腕部４３ａと他方側の腕部４３ｂとが自由角度より大きい角度にすることで戻ろうとする付勢力が生じるトーションばねとして機能する。
【００１６】
また、コイルばね４０は、コイル部４１の内径がカムピン３３の軸部３６の直径よりも大きく、外径が大径部３５の直径よりも小さい。したがって、コイルばね４０のコイル部４１内に軸部３６を挿入可能である。このとき、コイルばね４０がカムピン３３に対して相対的に第２の方向に移動することで、コイルばね４０の内周面がカムピン３３の軸部３６の外周面に当接可能である。
【００１７】
第１カムフォロア部３１は、第１群鏡筒２１に保持される。
図４は、第１の実施形態の第１カムフォロア部３１が第１群鏡筒２１に保持されている状態を第１の方向および第２の方向を通る面に沿って切断した断面図である。なお、図４では、見易さを考慮してハッチングを省略している。
第１群鏡筒２１は、カム溝２６に対向した位置に第１群鏡筒２１の外周壁を貫通するカムフォロア収容部５０を有する。カムフォロア収容部５０は、カムピン３３を第１の方向に沿って進退可能に保持する。カムフォロア収容部５０は、大径収容部５１、ばね収容部５２、軸挿入部５３を有し、それぞれ第１の方向に沿って連通する。
【００１８】
大径収容部５１は、第１群鏡筒２１の外周面から光軸に向かって凹状に形成される。大径収容部５１には、カムピン３３の大径部３５のうち軸部３６側の一部が収容される。
図５は、図４に示すＩ−Ｉ線に沿って切断して矢印方向（第１の方向）から見た断面図である。なお、図５では、見易さを考慮してハッチングを省略している。図６は、第１の実施形態の第１カムフォロア部３１およびカムフォロア収容部５０をカム溝２６側から見た図である。
【００１９】
図５に示すように、大径収容部５１は第１の方向から見て、後側を除き略円形であるが、前側に第２の方向に対してそれぞれ傾斜する一対のテーパ面５１ａを有する。一対のテーパ面５１ａは、カムピン３３がコイルばね４０によって第２の方向に付勢されたときに、カムピン３３の大径部３５と当接する。このとき、大径部３５は一対のテーパ面５１ａと当接することから、大径部３５と大径収容部５１とが当接した状態ではカムピン３３が第２の方向と直交する方向にズレることなく位置決めされる。大径収容部５１の一対のテーパ面５１ａは、位置決め部に相当する。
【００２０】
ばね収容部５２は、大径収容部５１から連続して光軸に向かって孔状に形成される。ばね収容部５２は、コイルばね４０およびカムピン３３の軸部３６が収容される。図５に示すように、ばね収容部５２は第１の方向から見て、後側を除き略円形である。一方、ばね収容部５２のうち後側には、内側壁から前側に向かって突出する突出部５４を有する。突出部５４は、コイルばね４０から第２の方向に付勢を受ける第２移動側受部に相当する。突出部５４の角部５４ａ、５４ｂは、コイルばね４０の一方側の腕部４３ａと他方側の腕部４３ｂとが当接する。また、ばね収容部５２のうち軸挿入部５３側は、第１の方向と直交する面５２ａを有し、面５２ａはコイルばね４０から第１の方向に付勢を受ける第１移動側受部に相当する。
【００２１】
軸挿入部５３は、ばね収容部５２から連続して光軸に向かって孔状に形成される。軸挿入部５３は、カムピン３３の軸部３６が隙間を介在させて挿入される。すなわち、図４に示すように、軸挿入部５３との軸部３６との間には、第２の方向に関してｄ１およびｄ２の隙間がある。ｄ１およびｄ２の隙間が自由に変位してしまうと、第１カムフォロア部３１とカム筒部材２５との間で第２の方向に隙間が生じてしまうことになる。そのため、本実施形態では、後述するコイルばね４０の付勢によって常にｄ１の隙間を除去する。
なお、軸挿入部５３の光軸側には、カムピン３３の抜止部３７が位置する。したがって、カムピン３３は抜止部３７によってカムフォロア収容部５０からカム溝２６側に抜け出ることが防止される。
【００２２】
次に、コイルばね４０による第１の方向の隙間を除去する作用について説明する。
カムピン３３の軸部３６がコイルばね４０のコイル部４１内に挿入された第１カムフォロア部３１は、カムフォロア収容部５０に収容される。このとき、コイルばね４０は、第１群鏡筒２１とカムピン３３との間で、一方端部４２ａと他方端部４２ｂとが軸方向に圧縮された状態で配置される。具体的には、コイルばね４０は一方端部４２ａがカムピン３３の大径部３５の面３５ａに当接し、他方端部４２ｂが第１群鏡筒２１のばね収容部５２の面５２ａに当接する。したがって、カムピン３３の大径部３５および第１群鏡筒２１のばね収容部５２がそれぞれ、コイルばね４０から第１の方向に付勢を受ける。ここで、カムピン３３は進退可能であることから、カムピン３３はコイルばね４０によって第１の方向に付勢され、係合部３４がカム溝２６に係合する。このようなコイルばね４０の第１の方向への付勢によって、第１群鏡筒２１とカム筒部材２５との間では第１の方向に関する隙間を除去することができ、第１群鏡筒２１が移動するときのガタを抑制することができる。
【００２３】
次に、コイルばね４０による第２の方向の隙間を除去する作用について説明する。
第１カムフォロア部３１がカムフォロア収容部５０に収容された状態では、コイルばね４０の一部が、ばね収容部５２の突出部５４とカムピン３３の軸部３６との間で一方側の腕部４３ａと他方側の腕部４３ｂとの角度αが自由角度よりも大きい状態で配置される。具体的には、コイルばね４０は一方側の腕部４３ａおよび他方側の腕部４３ｂがそれぞれ、ばね収容部５２の突出部５４の角部５４ａ、５４ｂに当接する。したがって、コイルばね４０は、一方側の腕部４３ａと他方側の腕部４３ｂとの角度αが、小さくなるように付勢することで、その反力によってコイルばね４０全体が前側に向かって移動する。コイルばね４０全体が前側に移動することで、コイルばね４０のコイル部４１のうち後側の内周面４４（図４および図５を参照）がカムピン３３の軸部３６の後部３６ａに当接し、カムピン３３の軸部３６が前側に向かって付勢される。このようにコイルばね４０がカムピン３３を前側に付勢することで、カムピン３３の大径部３５が大径収容部５１に当接する。このようなコイルばね４０の第２の方向（前側）の付勢によって、カムピン３３と第１群鏡筒２１との間の第２の方向に関する隙間を効果的に除去することができ、第１群鏡筒２１が移動するときのガタを抑制することができる。
【００２４】
また、コイルばね４０の付勢によりカムピン３３の大径部３５が大径収容部５１に当接するとき、図６に示すように、大径部３５は大径収容部５１の一対のテーパ面５１ａに当接することによって大径部３５が大径収容部５１に位置決めされる。したがって、大径部３５が第１群鏡筒２１の円周方向に対してガタつくのを効果的に抑制することができる。
また、一方側の腕部４３ａと他方側の腕部４３ｂとのコイル部４１の反対側においてなす角度αが自由角度で１８０度よりも小さいことから、効率的に第２の方向に付勢することができる。
【００２５】
（第２の実施形態）
次に、第２の実施形態の付勢部材について、図７〜図１０を参照して説明する。本実施形態の付勢部材は、板ばね６０である。なお、カムピン３３および第１群鏡筒２１の構成は、第１の実施形態と略同様であり、同一符号を付して、その説明を適宜、省略する。
図７は、第２の実施形態の第１カムフォロア部３１の分解斜視図である。図８は、第２の実施形態の第１カムフォロア部３１が第１群鏡筒２１に保持されている状態を第１の方向および第２の方向を通る面に沿って切断した断面図である。図９は、図８に示すＩＩ−ＩＩ線に沿って切断して矢印方向から見た断面図である。図１０は、第２の実施形態の第１カムフォロア部３１およびカムフォロア収容部５０をカム溝２６側から見た図である。なお、図８および図９では、見易さを考慮してハッチングを省略している。
【００２６】
板ばね６０は、付勢部材の一例である。板ばね６０は、カムピン３３を第１の方向（ラジアル方向）に加えて、第２の方向（スラスト方向）にも付勢する。
具体的には、板ばね６０は、第１付勢部６１と第２付勢部６５とを有する。
第１付勢部６１は、一方端部６３ａと他方端部６３ｂとを連結部６２で連結した形状であり、第１の方向および第２の方向にそれぞれ直交する方向から見て、略Ｃ字の形状である。一方端部６３ａおよび他方端部６３ｂは、カムピン３３の軸部３６の軸方向に対して交差する板状であり、それぞれ中央に軸部３６が挿通する挿通孔６４ａ、６４ｂを有する。第１付勢部６１は、一方端部６３ａと他方端部６３ｂとを近づけるように圧縮することで戻ろうとする方向である第１の方向に付勢力が生じる。
【００２７】
第２付勢部６５は、一方側の腕部６６ａと他方側の腕部６６ｂとを連結部６２で連結した形状であり、第１の方向から見て略Ｃ字の形状である。一方側の腕部６６ａおよび他方側の腕部６６ｂは、第１の方向と平行な面を有する板状であり、連結部６２から第１付勢部６１の反対側に延出する。図９に示すように、一方側の腕部６６ａと他方側の腕部６６ｂとの第１付勢部６１の反対側においてなす角度αは、自由角度で上限が１８０度よりも小さく、下限が３０度以上、更には４０度以上であることが好ましい。なお、板ばね６０は、一方側の腕部６６ａと他方側の腕部６６ｂとが自由角度より大きい角度にすることで戻ろうとして第２の方向に付勢力が生じる。
【００２８】
次に、板ばね６０による第１の方向の隙間を除去する作用について説明する。
カムピン３３の軸部３６が板ばね６０の一方端部６３ａおよび他方端部６３ｂの挿通孔６４ａ、６４ｂに挿入された第１カムフォロア部３１は、カムフォロア収容部５０に収容される。このとき、板ばね６０は、第１群鏡筒２１とカムピン３３との間で一方端部６３ａと他方端部６３ｂとが第１の方向に圧縮された状態で配置される。具体的には、板ばね６０は一方端部６３ａがカムピン３３の大径部３５の面３５ａに当接し、他方端部６３ｂが第１群鏡筒２１のばね収容部５２の面５２ａに当接する。すなわち、カムピン３３の大径部３５および第１群鏡筒２１のばね収容部５２がそれぞれ、板ばね６０から第１の方向に付勢を受ける。ここで、カムピン３３は進退可能であることから、カムピン３３は板ばね６０によって第１の方向に付勢され、係合部３４がカム溝２６に係合する。このような板ばね６０の第１の方向への付勢によって、第１群鏡筒２１とカム筒部材２５との間では第１の方向に関する隙間を除去することができ、第１群鏡筒２１が移動するときのガタを抑制することができる。
【００２９】
次に、板ばね６０による第２の方向の隙間を除去する作用について説明する。なお、第１の実施形態と同様、図８に示すように、軸挿入部５３と軸部３６との間には、第２の方向に関してｄ１およびｄ２の隙間がある。
第１カムフォロア部３１がカムフォロア収容部５０に収容された状態では、板ばね６０の一部は、ばね収容部５２の突出部５４とカムピン３３の軸部３６との間で一方側の腕部６６ａと他方側の腕部６６ｂとの角度αが自由角度よりも大きい状態で配置される。具体的には、板ばね６０は一方側の腕部６６ａおよび他方側の腕部６６ｂがそれぞれ、ばね収容部５２の突出部５４の角部５４ａ、５４ｂに当接する。したがって、板ばね６０は、一方側の腕部６６ａと他方側の腕部６６ｂとの角度αが、小さくなるように付勢することで、その反力によって板ばね６０全体が前側に向かって移動する。板ばね６０全体が前側に移動することで、板ばね６０の挿通孔６４ａ、６４ｂの内周面がカムピン３３の軸部３６の後部３６ａに当接し、カムピン３３の軸部３６が前側に向かって付勢される（図８および図９を参照）。このように板ばね６０がカムピン３３を前側に付勢することで、カムピン３３の大径部３５が大径収容部５１に当接する。このような板ばね６０の第２の方向（前側）の付勢によって、カムピン３３と第１群鏡筒２１との間の第２の方向に関する隙間を効果的に除去することができ、第１群鏡筒２１が移動するときのガタを抑制することができる。
【００３０】
また、板ばね６０の付勢によりカムピン３３の大径部３５が大径収容部５１に当接するとき、図１０に示すように、大径部３５は大径収容部５１の一対のテーパ面５１ａに当接することによって大径部３５が大径収容部５１に位置決めされる。したがって、大径部３５が第１群鏡筒２１の円周方向に対してガタつくのを効果的に除去することができる。
なお、第１の実施形態のコイルばね４０は、一方側の腕部４３ａと他方側の腕部４３ｂとが第１の方向に離間しているために第２の方向への付勢力の向きが若干ねじれてしまう。一方、第２の実施形態の板ばね６０によれば、一方側の腕部６６ａと他方側の腕部６６ｂは第１の方向に対して同じ位置であるために第２の方向に略平行に付勢することができる。
【００３１】
（第３の実施形態）
次に、第３の実施形態の付勢部材について、図１１〜図１４を参照して説明する。本実施形態の付勢部材８０は、板ばねである。第１の実施形態と略同様の構成は、同一符号を付して、その説明を適宜、省略する。なお、板ばね８０の形状に合わせて、カムピン３３および第１群鏡筒２１の形状を若干変更しているので後述する。
図１１は、第３の実施形態の第１カムフォロア部３１の分解斜視図である。図１２は、第３の実施形態の第１カムフォロア部３１が第１群鏡筒２１に保持されている状態を第１の方向および第２の方向を通る面に沿って切断した断面図である。図１３は、図１２に示すＩＩＩ−ＩＩＩ線に沿って切断して矢印方向から見た断面図である。図１４は、第３の実施形態の第１カムフォロア部３１およびカムフォロア収容部９０をカム溝２６側から見た図である。なお、図１２および図１３では、見易さを考慮してハッチングを省略している。
【００３２】
カムピン７３は第１の実施形態のカムピン３３と略同様の構成であるが、大径部３５が軸部３６側の後部に、軸部３６に対して傾斜する傾斜面７５ａを有する（図１１および図１２を参照）。傾斜面７５ａは板ばね８０から第１の方向（ラジアル方向）と第２の方向（スラスト方向）の間の斜め方向に付勢を受けるピン側受部に相当する。本実施形態のカムピン７３のうち、その他の構成は第１の実施形態のカムピン３３と略同様であり、同一符号を付して説明を省略する。
【００３３】
板ばね８０は、付勢部材の一例である。板ばね８０は、カムピン７３を第１の方向（スラスト方向）と第２の方向（スラスト方向）の間の斜め方向である第３の方向に付勢することで、第１の方向および第２の方向に付勢する。
具体的には、板ばね８０は、一方端部８３ａおよび他方端部８３ｂを、前部に位置する連結部８２で連結した形状であり、第１の方向および第２の方向にそれぞれ直交する方向から見て、略Ｖ字の形状である。一方端部８３ａおよび他方端部８３ｂは、カムピン３３の軸部３６に対して交差する板状であり、それぞれ中央に軸部３６が挿通する挿通孔８４ａ、８４ｂを有する。板ばね８０は、一方端部８３ａと他方端部８３ｂとを近づけるように圧縮することで戻ろうとする方向である第３の方向に付勢力が生じる。
【００３４】
カムフォロア収容部９０は第１の実施形態のカムフォロア収容部５０と略同様の構成であるが、ばね収容部９２が板ばね８０を収容可能な形状になっている。具体的には、ばね収容部９２は、板ばね８０の連結部８２を前部に収容できる形状である。また、ばね収容部９２は、第１の実施形態のばね収容部５２の突出部５４を有していない。本実施形態のカムフォロア収容部９０のうち、その他の構成は第１の実施形態のカムフォロア収容部５０と略同様であり、同一符号を付して説明を省略する。なお、ばね収容部９２の面５２ａは、板ばね８０から付勢を受ける移動側受部に相当する。
板ばね８０は、カムピン７３と第１群鏡筒２１との間に配置される。具体的には、板ばね８０は、カムピン７３の大径部３５と、カムフォロア収容部９０のばね収容部９２の面５２ａとの間に位置する（図１２を参照）。
【００３５】
次に、板ばね８０による第１の方向の隙間を除去する作用について説明する。
カムピン３３の軸部３６が板ばね８０の一方端部８３ａおよび他方端部８３ｂの挿通孔８４ａ、８４ｂに挿入された第１カムフォロア部３１は、カムフォロア収容部９０に収容される。このとき、板ばね８０は、第１群鏡筒２１とカムピン７３との間で一方端部８３ａと他方端部８３ｂとが略第３の方向に圧縮された状態で配置される。具体的には、板ばね８０は一方端部８３ａがカムピン７３の大径部３５の傾斜面７５ａに当接し、他方端部８３ｂが第１群鏡筒２１のばね収容部９２の面５２ａに当接する。したがって、カムピン７３の大径部３５は、板ばね８０から第１の方向と第２の方向との間の斜め方向である第３の方向に付勢を受ける。ここで、カムピン７３は第１の方向に進退可能であることから、カムピン７３は板ばね８０の第３の方向の付勢のうち第１の方向の成分の付勢によって、係合部３４がカム溝２６に係合する。このような板ばね８０の第１の方向の成分への付勢によって、第１群鏡筒２１とカム筒部材２５との間では第１の方向に関する隙間を除去することができ、第１群鏡筒２１が移動するときのガタを抑制することができる。
【００３６】
次に、板ばね８０による第２の方向の隙間を除去する作用について説明する。なお、第１の実施形態と同様、図１２に示すように、軸挿入部５３と軸部３６との間には、第２の方向に関してｄ１およびｄ２の隙間がある。
上述したように、カムピン７３の大径部３５は、板ばね８０から第３の方向に付勢を受ける。カムピン７３は板ばね８０の第３の方向の付勢のうち第２の方向の成分の付勢によって、カムピン３３の軸部３６が前側に向かって付勢される（図１２および図１３を参照）。このように板ばね８０がカムピン７３を前側に付勢することで、カムピン７３の大径部３５が大径収容部５１に当接する。このような板ばね８０の第２の方向（前側）の成分の付勢によって、カムピン７３と第１群鏡筒２１との間の第２の方向に関する隙間を効果的に除去することができ、第１群鏡筒２１が移動するときのガタを抑制することができる。
【００３７】
また、板ばね８０の付勢によりカムピン７３の大径部３５が大径収容部５１に当接するとき、図１４に示すように、大径部３５は大径収容部５１の一対のテーパ面５１ａにそれぞれ当接することによって大径部３５が大径収容部５１に位置決めされる。したがって、大径部３５が第１群鏡筒２１の円周方向に対してガタつくのを効果的に除去することができる。
なお、第３の実施形態の板ばね８０は、第１の方向と第２の方向にそれぞれに付勢するための構造を別途設ける必要がないため、第１の実施形態のコイルばね３０または第２の実施形態の板ばね６０に比べて構造を簡易にすることができ組立性に優れている。
【００３８】
以上、上述した実施形態のコイルばね３０、板ばね６０、８０によれば、一つの付勢部材によって第１の方向および第２の方向に付勢できるので、部品点数を増やすことなく、光軸方向および光軸方向に直交する方向の隙間を効果的に除去することができる。このように、部品点数が増加しないことで、レンズ鏡筒１、２が大型化することを抑制することができる。また、コイルばね３０、板ばね６０、８０を用いることで、第１群鏡筒２１の駆動範囲において駆動力への負荷が変化することがない。
【００３９】
以上、本発明を種々の実施形態と共に説明したが、本発明はこれらの実施形態にのみ限定されるものではなく、本発明の範囲内で変更等が可能であり、上述した実施形態を適時組み合わせてもよい。
上述した各実施形態では、第１カムフォロア部３１の構成を例にして説明したが、この場合に限られずに第２カムフォロア部３２でも同様に構成することができる。
【００４０】
上述した各実施形態では、コイルばね３０、板ばね６０、８０が第２の方向として前側にカムピン３３、７３を付勢する場合について説明したが、この場合に限られず、後側に付勢するように構成してもよい。
なお、上述したレンズ鏡筒１、２は撮像装置をはじめとする光学機器に適用することができる。
【符号の説明】
【００４１】
１、２：レンズ鏡筒  １１：第１群レンズ  １２：第２群レンズ  １３：第３群レンズ  ２１：第１群鏡筒  ２２：第２群鏡筒  ２３：第３群鏡筒  ２６：カム溝  ３３：カムピン  ３５：大径部  ３５ａ：面  ３６：軸部  ３６ａ：後部  ４０：コイルばね  ４３ａ：一方側の腕部  ４３ｂ：他方側の腕部  ５１：大径収容部  ５１ａ：テーパ面  ５２：ばね収容部  ５２ａ：面  ６０：板ばね  ６１：第１付勢部  ６５：第２付勢部  ７３：カムピン  ８０：板ばね  ９２：ばね収容部
【図１】
2019128450.tif 000003
【図２】
2019128450.tif 000004
【図３】
2019128450.tif 000005
【図４】
2019128450.tif 000006
【図５】
2019128450.tif 000007
【図６】
2019128450.tif 000008
【図７】
2019128450.tif 000009
【図８】
2019128450.tif 000010
【図９】
2019128450.tif 000011
【図１０】
2019128450.tif 000012
【図１１】
2019128450.tif 000013
【図１２】
2019128450.tif 000014
【図１３】
2019128450.tif 000015
【図１４】
2019128450.tif 000016